(57)【要約】      （修正有）【課題】特定の虫のみを選別して誘引することが可能な捕虫器を提供する。【解決手段】虫を誘引するための直管状の光源部１０と、正面側が開放された収容空間を有し、収容空間内において光源部１０および虫捕獲用の粘着シートを保持するフレーム部２０と、所定の網目寸法を有する網付きフレーム２と、網付きフレーム２を着脱自在に保持する保持フレーム３〜５とを備え、網付きフレーム２は、網目寸法を有する網部材２ａと、網部材２ａの周縁に設けられた枠部材２ｂとを有し、保持フレーム３〜５は、網付きフレーム２の網部材２ａに接することなく枠部材２ｂを保持する。【選択図】図１
0003224136.tif 000002
【実用新案登録請求の範囲】
【請求項１】
虫を誘引するための直管状の光源部と、
正面側が開放された収容空間を有し、前記収容空間内において前記光源部および虫捕獲用の粘着シートを保持するフレーム部と、
所定の網目寸法を有する網付きフレームと、
前記網付きフレームを着脱自在に保持する保持フレームと、を備え、
前記網付きフレームは、
前記網目寸法を有する網部材と、前記網部材の周縁に設けられた枠部材と、を有し、
前記保持フレームは、
前記網付きフレームの前記網部材に接することなく前記枠部材を保持することを特徴とする捕虫器。
【請求項２】
前記保持フレームは、
前記フレーム部の正面側に設けられ、前記網付きフレームが前記収容空間の開放面に沿ってスライドして着脱できるように、前記網付きフレームの前記網部材に接することなく前記枠部材をスライド可能に保持し、
前記フレーム部は、
前記光源を挟んで前記網付きフレームと前記粘着シートとが対向するように、前記光源部および前記粘着シートを保持することを特徴とする請求項１に記載の捕虫器。
【請求項３】
前記フレーム部、前記網付きフレームの前記枠部材、および前記保持フレームは、プラスチックで形成されたものであることを特徴とする請求項２に記載の捕虫器。
【請求項４】
前記網付きフレームの前記枠部材は、
前記網部材の正面側に設けられた第１枠部材と、
前記網部材の背面側に設けられた第２枠部材と、を備え、
前記第１枠部材は、一端が背面側に屈曲した屈曲部を有するとともに、正面視において長方形状の外周縁を有し、
前記第２枠部材は、前記第１枠部材とともに前記網部材の周縁を挟み込み、
前記保持フレームは、
前記第１枠部材の短辺の両側において、前記第１枠部材および前記第２枠部材をスライド可能に挟み込むことを特徴とする請求項２または３に記載の捕虫器。
【請求項５】
前記光源部は、
複数のＬＥＤ光源が搭載された回路基板と、
所定範囲の交流電圧を直流電圧に変換して前記複数のＬＥＤ光源に供給する電圧変換回路と、
前記回路基板および前記電圧変換回路を収容し、水および粉塵の浸入を妨げる直管状のケースと、
を備えることを特徴とする請求項１〜４のいずれか一項に記載の捕虫器。
【請求項６】
前記光源部の一端に電気的に接続された第１接続ケーブルと、
前記光源部の他端に電気的に接続された第２接続ケーブルと、
を備え、
前記第１接続ケーブルは、先端側に第１コネクタを有し、
前記第２接続ケーブルは、先端側に第２コネクタを有し、
前記第１コネクタは、前記第２コネクタに電気的に接続可能に構成されていることを特徴とする請求項１〜５のいずれか一項に記載の捕虫器。
【考案の詳細な説明】
【技術分野】
【０００１】
本考案は、捕虫器に関する。
【背景技術】
【０００２】
特許文献１には、商用コンセントの数による制約を受けにくい捕虫器が記載されている。この捕虫器は、光源に電力を供給するための電源コードと、電源コードに電気的に接続可能なコンセント部とを備える。
【０００３】
例えば、３台の捕虫器を設置する場合、第１の捕虫器の電源コードのプラグを商用コンセントに差し込み、第２の捕虫器の電源コードのプラグを第１の捕虫器のコンセント部に差し込み、かつ第３の捕虫器の電源コードのプラグを第２の捕虫器のコンセント部に差し込むことで、１つの商用コンセントから３台の捕虫器に電力供給を行うことができる。
【先行技術文献】
【特許文献】
【０００４】
【特許文献１】実用新案登録第３２２１４６６号公報
【考案の概要】
【考案が解決しようとする課題】
【０００５】
上記特許文献１に記載の捕虫器は、正面側が開放されているため効率的に虫を誘引することができる反面、特定の虫のみを誘引することはできない。また、虫以外のもの（例えば、木の葉や枝）が光源や粘着シートに接触することがある。
【０００６】
本考案は上記事情に鑑みてなされたものであって、その課題とするところは、特定の虫のみを選別して誘引することが可能な捕虫器を提供することにある。
【課題を解決するための手段】
【０００７】
上記課題を解決するために、本考案に係る捕虫器は、
虫を誘引するための直管状の光源部と、
正面側が開放された収容空間を有し、前記収容空間内において前記光源部および虫捕獲用の粘着シートを保持するフレーム部と、
所定の網目寸法を有する網付きフレームと、
前記網付きフレームを着脱自在に保持する保持フレームと、を備え、
前記網付きフレームは、
前記網目寸法を有する網部材と、前記網部材の周縁に設けられた枠部材と、を有し、
前記保持フレームは、
前記網付きフレームの前記網部材に接することなく前記枠部材を保持することを特徴とする。
【０００８】
この構成によれば、捕獲したい虫のサイズに応じた網目寸法を有する網付きフレームを使用することで、特定の虫のみを選別して誘引することができる。しかも、この構成では、保持フレームは、網付きフレームを着脱自在に保持し、かつ網付きフレームの網部材に接することなく枠部材を保持する。したがって、この構成によれば、網付きフレームを交換でき、かつ交換時に網部材が傷つくのを抑制できる。
【０００９】
上記捕虫器において、
前記保持フレームは、
前記フレーム部の正面側に設けられ、前記網付きフレームが前記収容空間の開放面に沿ってスライドして着脱できるように、前記網付きフレームの前記網部材に接することなく前記枠部材をスライド可能に保持し、
前記フレーム部は、
前記光源を挟んで前記網付きフレームと前記粘着シートとが対向するように、前記光源部および前記粘着シートを保持することが好ましい。
【００１０】
この構成によれば、迅速かつ容易に網付きフレームを交換することができる。
【００１１】
上記捕虫器において、
前記フレーム部、前記網付きフレームの前記枠部材、および前記保持フレームは、プラスチックで形成されたものであってもよい。
【００１２】
この構成によれば、全体的な統一感を有するデザイン性の優れた捕虫器を提供できる。
【００１３】
上記捕虫器において、
前記網付きフレームの前記枠部材は、
前記網部材の正面側に設けられた第１枠部材と、
前記網部材の背面側に設けられた第２枠部材と、を備え、
前記第１枠部材は、一端が背面側に屈曲した屈曲部を有するとともに、正面視において長方形状の外周縁を有し、
前記第２枠部材は、前記第１枠部材とともに前記網部材の周縁を挟み込み、
前記保持フレームは、
前記第１枠部材の短辺の両側において、前記第１枠部材および前記第２枠部材をスライド可能に挟み込むよう構成できる。
【００１４】
上記捕虫器において、
前記光源部は、
複数のＬＥＤ光源が搭載された回路基板と、
所定範囲の交流電圧を直流電圧に変換して前記複数のＬＥＤ光源に供給する電圧変換回路と、
前記回路基板および前記電圧変換回路を収容し、水および粉塵の浸入を妨げる直管状のケースと、
を備えるよう構成できる。
【００１５】
この構成によれば、特定の虫のみを選別して誘引することが可能で、さらに防水性および防塵性に優れた捕虫器を提供することができる。
【００１６】
上記捕虫器において、
前記光源部の一端に電気的に接続された第１接続ケーブルと、
前記光源部の他端に電気的に接続された第２接続ケーブルと、
を備え、
前記第１接続ケーブルは、先端側に第１コネクタを有し、
前記第２接続ケーブルは、先端側に第２コネクタを有し、
前記第１コネクタは、前記第２コネクタに電気的に接続可能に構成されていてもよい。
【考案の効果】
【００１７】
本考案によれば、特定の虫のみを選別して誘引することが可能な捕虫器を提供することができる。
【図面の簡単な説明】
【００１８】
【図１】本考案に係る捕虫器の斜視図である。
【図２】本考案に係る捕虫器の網付きフレームを取り外した状態の斜視図である。
【図３】本考案の第１コネクタを示す図である。
【図４】本考案の第２コネクタを示す図である。
【考案を実施するための形態】
【００１９】
以下、添付図面を参照して、本考案に係る捕虫器の実施形態について説明する。
【００２０】
図１および図２に本考案の一実施形態に係る捕虫器１を示す。本実施形態に係る捕虫器１は、特定の虫のみを選別するための網付きフレーム２と、網付きフレーム２を着脱自在に保持する保持フレーム（第１保持フレーム３、第２保持フレーム４および第３保持フレーム５）と、直管状の光源部１０と、フレーム部２０と、第１接続ケーブル３０と、第２接続ケーブル４０と、電源コード（図示略）とを備える。
【００２１】
光源部１０は、複数のＬＥＤ光源１１と、複数のＬＥＤ光源１１が配置された回路基板１２と、回路基板１２を収容する直管状のケース１３とを備える。
【００２２】
ＬＥＤ光源１１は、虫を誘引するためのもので、紫外線を含む光を照射する。本実施形態では、ＬＥＤ光源１１は、紫外線とともに可視光を照射する。複数のＬＥＤ光源１１は、回路基板１２の正面側に直線状に配置されている。
【００２３】
回路基板１２には、所定範囲の交流電圧を所定の直流電圧に変換してＬＥＤ光源１１に供給する電圧変換回路が搭載されている。本実施形態では、電圧変換回路は、回路基板１２の背面側に搭載され、実効値が８５［Ｖ］〜２６５［Ｖ］の交流電圧を直流電圧に変換することができる。すなわち、本実施形態に係る光源部１０は、日本だけでなく海外でも使用可能なグローバル仕様になっている。
【００２４】
ケース１３は、少なくとも正面側が、ＬＥＤ光源１１が発する光に対して透明な材料（例えば、透明なプラスチック）で構成されている。また、ケース１３は、水および粉塵の浸入を妨げるように密閉された構造になっている。これにより、光源部１０は、電子機器などの防塵および防水の性能水準を示すＩＰ規格において、保護等級ＩＰ６７を満たす。
【００２５】
フレーム部２０は、第１側面フレーム２１と、第２側面フレーム２２と、背面フレーム２３と、第１光源保持手段２４と、第２光源保持手段２５とを備える。フレーム部２０は、軽量化のために合成樹脂（本実施形態では、プラスチック）で構成され、正面側が開放された収容空間を有する。
【００２６】
第１側面フレーム２１は、台形の板状に形成され、収容空間の右側に位置する。第１側面フレーム２１の中央には、第１接続ケーブル３０が通るグロメットが設けられている。
【００２７】
第２側面フレーム２２は、台形の板状に形成され、収容空間の左側に位置する。第２側面フレーム２２の中央には、第２接続ケーブル４０が通るグロメットが設けられている。
【００２８】
背面フレーム２３は、背面側に突出するように折り曲げられた形状をしている。背面フレーム２３は、正面側の上端近傍に設けられた第１シート保持手段２６と、正面側の下端近傍に設けられた第２シート保持手段２７とを備える。
【００２９】
虫捕獲用の粘着シートＡは、第１シート保持手段２６により上端が保持され、かつ第２シート保持手段２７により下端が保持された状態で、背面フレーム２３の正面側に配置される。
【００３０】
背面フレーム２３は、両端部の背面側に左右一対の取付手段２８を備える。取付手段２８には、フレーム部２０を吊り下げるための鎖等を通す貫通孔が形成されている。また、背面フレーム２３は、中央部の背面側に帯状の磁石を備える。この磁石は、フレーム部２０を金属製の壁やラックに取り付けるためのものである。
【００３１】
第１光源保持手段２４は、後述する第１保持フレーム３の背面側に接続されている。第１光源保持手段２４は、収容空間内に設けられ、光源部１０の右端部を挟み込んで保持する。
【００３２】
第２光源保持手段２５は、後述する第２保持フレーム４の背面側に接続されている。第２光源保持手段２５は、収容空間内に設けられ、光源部１０の左端部を挟み込んで保持する。
【００３３】
網付きフレーム２は、特定の虫のみを選別するためのもので、所定の網目寸法を有する網部材２ａと、網部材２ａの周縁に設けられた枠部材２ｂとを備える。枠部材２ｂは、網部材２ａの厚みよりも大きい厚みを有する。
【００３４】
網部材２ａは、ポリプロピレン等の合成樹脂で構成され、例えば、網戸の網を用いることができる。網部材２ａの網目寸法は、捕獲したい虫のサイズに応じた大きさになっている。例えば、捕獲したい虫がアザミウマの場合、網目寸法を２［ｍｍ］×２［ｍｍ］程度にしてもよい。網部材２ａは、網目寸法よりも小さい虫を通過させ、網目寸法よりも大きい虫を通過させない。
【００３５】
枠部材２ｂは、合成樹脂（本実施形態では、プラスチック）で構成され、網部材２ａの周縁を挟み込む。枠部材２ｂは、網部材２ａの正面側に位置する第１枠部材と、網部材２ａの背面側に位置する第２枠部材とを備える。
【００３６】
第１枠部材は、一端が背面側に屈曲した屈曲部を有する。屈曲部は、背面フレーム２３に沿って延びている。屈曲部は、網付きフレーム２がフレーム部２０の収容空間の正面側全体を覆った状態において、背面フレーム２３に接する。屈曲部があることで、捕虫器１のユーザは、屈曲部をつかんで網付きフレーム２をスライドさせることができる。また、第１枠部材は、正面視において、長方形状の外周縁と、長方形の短辺側中央が突出した形状の内周縁とを有する。
【００３７】
第２枠部材は、外周縁が第１枠部材の正面視における外周縁と一致するように、第１枠部材に対向して配置されている。網部材２ａの周縁は、第１枠部材と第２枠部材とによって挟み込まれている。
【００３８】
網付きフレーム２を着脱自在に保持する保持フレームは、第１保持フレーム３と、第２保持フレーム４と、第３保持フレーム５とを備える。保持フレームは、合成樹脂（本実施形態では、プラスチック）で構成される。
【００３９】
第１保持フレーム３は、フレーム部２０の正面側の右端部に設けられている。第１保持フレーム３は、フレーム部２０の正面側に取り付けられた第１右フレーム３ａと、第１右フレーム３ａの正面側に取り付けられた第１スペーサと、第１スペーサの正面側に取り付けられた第２右フレーム３ｂとを備える。
【００４０】
第１右フレーム３ａと第２右フレーム３ｂとは、第１スペーサ分だけ離間して対向配置されている。第１スペーサは、網付きフレーム２の枠部材２ｂがスライド可能となる厚みに形成されており、第１右フレーム３ａと第２右フレーム３ｂとの間に枠部材２ｂがスライド可能となる隙間を形成する。すなわち、第１保持フレーム３は、網付きフレーム２の網部材２ａに接することなく枠部材２ｂをスライド可能に保持する。
【００４１】
第２保持フレーム４は、フレーム部２０の正面側の左端部に設けられている。第２保持フレーム４は、フレーム部２０の正面側に取り付けられた第１左フレーム４ａと、第１左フレーム４ａの正面側に取り付けられた第２スペーサと、第２スペーサの正面側に取り付けられた第２左フレーム４ｂとを備える。
【００４２】
第１左フレーム４ａと第２左フレーム４ｂとは、第２スペーサ分だけ離間して対向配置されている。第２スペーサは、網付きフレーム２の枠部材２ｂがスライド可能となる厚みに形成されており、第１左フレーム４ａと第２左フレーム４ｂとの間に枠部材２ｂがスライド可能となる隙間を形成する。すなわち、第２保持フレーム４は、網付きフレーム２の網部材２ａに接することなく枠部材２ｂをスライド可能に保持する。
【００４３】
第３保持フレーム５は、フレーム部２０の正面側の下端部に２つ設けられている。第３保持フレーム５は、一対の屈曲板で構成される。第３保持フレーム５を構成する屈曲板は、一端部が背面フレーム２３の下端部の背面側に取り付けられており、他端部が背面フレーム２３の下端部の正面側（網付きフレーム２が取り付けられている場合は、網付きフレーム２の枠部材２ｂの正面側）に位置する。
【００４４】
上記のとおり、保持フレームは、フレーム部２０の正面側に設けられ、網付きフレーム２が収容空間の開放面に沿ってスライドして着脱できるように、網付きフレーム２の網部材２ａに接することなく枠部材２ｂをスライド可能に保持する。
【００４５】
第１接続ケーブル３０は、複数の捕虫器１を互いに電気的に接続するためのもので、光源部１０の一端側に電気的に接続されている。第１接続ケーブル３０は、フレーム部２０の第１側面フレーム２１からフレーム部２０の外に引き出されており、先端側に第１コネクタ３１を有する。
【００４６】
第１コネクタ３１は、後述する第２接続ケーブル４０の第２コネクタ４１に電気的に接続可能に構成されている。図３に示すように、第１コネクタ３１は、第１円筒壁部３１ａと、第１円筒壁部３１ａの内側に環状空間部３１ｂを介して設けられた柱状部３１ｃと、柱状部３１ｃに設けられた一対の差し込み口３１ｄとを有する。第１円筒壁部３１ａの外周面には、雄ネジが形成されている。後述する電源コードのコネクタも、第１コネクタ３１と同様の形状をしている。
【００４７】
第１コネクタ３１には、防水用のキャップが装着されていてもよい。キャップの内周面には、第１円筒壁部３１ａの雄ネジに螺合する雌ネジが形成されている。キャップは、コネクタ接続時には取り外す必要がある。
【００４８】
第２接続ケーブル４０は、電源コードを接続するか、または別の捕虫器１の第１接続ケーブル３０を電気的に接続するためのもので、光源部１０の他端側に電気的に接続されている。第２接続ケーブル４０は、フレーム部２０の第２側面フレーム２２からフレーム部２０の外に引き出されている。第２接続ケーブル４０は、先端側に第２コネクタ４１を有し、かつケーブルに沿ってスライド可能に構成された保護部材４２を有する。
【００４９】
第２コネクタ４１は、第１コネクタ３１に電気的に接続可能に構成され、かつ電源コードのコネクタにも電気的に接続可能に構成されている。図４に示すように、第２コネクタ４１は、フランジ部４１ａと、フランジ部４１ａに設けられた第２円筒壁部４１ｂと、第２円筒壁部４１ｂの内側に設けられた一対のピン４１ｃとを有する。第２円筒壁部４１ｂは、第１コネクタ３１の環状空間部３１ｂに挿入可能に構成されており、ピン４１ｃは、第１コネクタ３１の差し込み口３１ｄおよび電源コードのコネクタの差し込み口に差し込み可能に構成されている。
【００５０】
また、第２円筒壁部４１ｂの外周面には、環状のパッキン（図示略）が設けられている。パッキンは、コネクタ接続時に、第１コネクタ３１の第１円筒壁部３１ａの先端面とフランジ部４１ａとによって、または電源コードのコネクタの第１円筒壁部の先端面とフランジ部４１ａとによって挟まれる。パッキンは、防水および防塵の機能を発揮する。
【００５１】
保護部材４２は、第２コネクタ４１の接続部分を囲む構造になっており、接続部分に対して防水および防塵の機能を発揮する。例えば、第２接続ケーブル４０に電源コードを接続した場合、保護部材４２は、第２コネクタ４１と電源コードのコネクタとの接続部分への水および粉塵の浸入を妨げる。同様に、第２接続ケーブル４０と別の捕虫器１の第１接続ケーブル３０とを接続した場合、保護部材４２は、第２コネクタ４１と第１コネクタ３１との接続部分への水および粉塵の浸入を妨げる。保護部材４２の内周面には、電源コードのコネクタの第１円筒壁部の雄ネジと、第１コネクタ３１の第１円筒壁部３１ａの雄ネジとに螺合する雌ネジが形成されている。
【００５２】
電源コードは、商用コンセントから光源部１０に電力を供給するためのものである。電源コードは、第２コネクタ４１に電気的に接続可能に構成されたコネクタを一端側に有し、かつ商用コンセントに差し込み可能に構成された電源プラグを他端側に有する。電源コードを第２接続ケーブル４０に接続した状態で、電源プラグを商用コンセントに差し込むと、商用コンセントから電源コードおよび第２接続ケーブル４０を介して、光源部１０に電力が供給される。
【００５３】
本実施形態では、光源部１０がＡＣ８５〜２６５［Ｖ］が対応していることから、電源コードも上記交流電圧範囲に対応したものを用いることができる。例えば、ある時にはＡＣ１００［Ｖ］用の電源コードを使用し、別の時にはＡＣ２００［Ｖ］用の電源コードを使用してもよい。すなわち、使用する国のコンセントの規格に応じて電源プラグの形状を変更する（コンセントに接続可能な電源プラグを有する電源コードを選択する）ことができるので、本実施形態に係る捕虫器１は、日本だけでなく海外でも使用可能なグローバルな仕様となる。
【００５４】
結局、本実施形態に係る捕虫器１は、捕獲したい虫のサイズに応じた網目寸法を有する網付きフレーム２を使用することで、特定の虫のみを選別して誘引することができる。しかも、保持フレーム（第１保持フレーム３、第２保持フレーム４および第３保持フレーム５）は、網付きフレーム２を着脱自在に保持し、かつ網付きフレーム２の網部材２ａに接することなく枠部材２ｂを保持することができる。したがって、本実施形態に係る捕虫器１によれば、網付きフレーム２を容易に交換することができ、かつ交換時に網部材２ａが傷つくのを抑制することができる。
【００５５】
本実施形態に係る捕虫器１は、当然ながら網付きフレーム２を取り外した状態（図２参照）で使用することもできる。
【００５６】
本実施形態に係る捕虫器１は、ＬＥＤ光源１１を使用しているので、蛍光灯を使用した場合と比較して、長寿命かつ低消費電力化を実現することができる。
【００５７】
以上、本考案に係る捕虫器の好ましい実施形態について説明したが、本考案は上記実施形態に限定されるものではない。
【００５８】
本考案に係る捕虫器は、虫を誘引するための直管状の光源部と、正面側が開放された収容空間を有し、収容空間内において光源部および虫捕獲用の粘着シートを保持するフレーム部と、所定の網目寸法を有する網付きフレームと、網付きフレームを着脱自在に保持する保持フレームと、を備えるのであれば、適宜構成を変更できる。
【００５９】
本考案の網付きフレームは、網目寸法を有する網部材と、網部材の周縁に設けられた枠部材と、を有するのであれば、適宜構成を変更できる。本考案の保持フレームは、網付きフレームの網部材に接することなく枠部材を保持するのであれば、適宜構成を変更できる。例えば、網部材の網目寸法および／または枠部材の形状等は、適宜変更できる。
【００６０】
本考案に係る捕虫器は、例えば、スタンドを備えた縦型の（縦向きに自立するように構成された）捕虫器であってもよい。また、必ずしも保護等級ＩＰ６７を満たさなくてもよい。
【符号の説明】
【００６１】
１    捕虫器
２    網付きフレーム
２ａ    網部材
２ｂ    枠部材
３    第１保持フレーム
４    第２保持フレーム
５    第３保持フレーム
１０    光源部
１１    ＬＥＤ光源
１２    回路基板
１３    ケース
２０    フレーム部
２１    第１側面フレーム
２２    第２側面フレーム
２３    背面フレーム
２４    第１光源保持手段
２５    第２光源保持手段
２６    第１シート保持手段
２７    第２シート保持手段
２８    取付手段
３０    第１接続ケーブル
３１    第１コネクタ
３１ａ    第１円筒壁部
３１ｂ    環状空間部
３１ｃ    柱状部
３１ｄ    差し込み口
４０    第２接続ケーブル
４１    第２コネクタ
４１ａ    フランジ部
４１ｂ    第２円筒壁部
４１ｃ    ピン
４２    保護部材
【図１】
0003224136.tif 000003
【図２】
0003224136.tif 000004
【図３】
0003224136.tif 000005
【図４】
0003224136.tif 000006